(57)【特許請求の範囲】
【請求項１】
左右方向に複数並設され、少なくとも背凭れ部の前面及び上面が張り地によって覆われた椅子において、
前記複数の椅子における各々の前記背凭れ部は、内部フレームの周囲に設けたクッション材を前記張り地で覆うことによって構成され、前記上面を覆う張り地の上に天板を、前記内部フレームに支持することによって着脱可能に取り付けたことを特徴とする椅子。
【請求項２】
請求項１記載の椅子において、
前記天板の上面に平面を有することを特徴とする椅子。
【請求項３】
請求項１又は２記載の椅子において、
左右に隣接する椅子同士にそれぞれ取り付けられた各天板の対向する側端部同士が、互いに近接することを特徴とする椅子。
【請求項４】
請求項１記載の椅子において、
前記天板の前端は、前記背凭れ部への着席荷重によって前記前面が後方に撓んだ場合に、当該椅子の前後方向で前記撓んだ前面と同位置又は後方位置にあることを特徴とする椅子。
【請求項５】
請求項１〜４のいずれか１項に記載の椅子において、
当該椅子は、前記背凭れ部の側面が張り地によって覆われると共に、該側面を覆う張り地の上に側板を取り付けたことを特徴とする椅子。
【発明の詳細な説明】
【技術分野】
【０００１】
本発明は、背凭れ部の前面及び上面が張り地によって覆われた椅子に関する。
【背景技術】
【０００２】
劇場や映画館、スタジアム等に設置される椅子では、座り心地や吸音性能を確保するため、背凭れ部の前面から上面までをクッション材等を収納した張り地によって覆った構成が広く用いられている。（例えば、特許文献１参照）。
【０００３】
このような椅子では、背凭れ部の上面までが張り地によって覆われているため、年月が経過すると使用者の手の汚れ等によって、上面の張り地が汚れ易いという問題がある。汚れた張り地は、目地の中まで汚れが付着してしまうため、清掃しても汚れが落ち難く、背凭れ部や張り地を交換するとしても容易なことではない。
【０００４】
特に、劇場や映画館等では、同一の椅子が前後左右に複数配列されているため、例えば、後席の使用者が席を移動する際に、前席の背凭れ部の上面（上端）を手摺りや取っ手代わりに利用することもある。そうすると、背凭れ部の汚れは一層ひどいものとなり、また、上面までが柔軟な張り地によって覆われているため、手摺りや取っ手としてはやや不安定なものとなっている。
【先行技術文献】
【特許文献】
【０００５】
【特許文献１】特開２００３−２７５０５１号公報
【発明の概要】
【発明が解決しようとする課題】
【０００６】
本発明は、上記従来技術の課題を考慮してなされたものであり、背凭れ部の前面から上面までが張り地によって覆われている場合にも、張り地への汚れの付着を防止することができ、しかも背凭れ部の上面を手摺りや取っ手として安定して利用することができる椅子を提供することを目的とする。
【課題を解決するための手段】
【０００７】
本発明に係る椅子は、左右方向に複数並設され、少なくとも背凭れ部の前面及び上面が張り地によって覆われた椅子において、前記複数の椅子における各々の前記背凭れ部は、内部フレームの周囲に設けたクッション材を前記張り地で覆うことによって構成され、前記上面を覆う張り地の上に天板を、前記内部フレームに支持することによって着脱可能に取り付けたことを特徴とする。
【０００８】
このような構成によれば、背凭れ部の上面を覆う張り地の上に天板を取り付けたことにより、例えば使用者が背凭れ部の上面を手摺りや取っ手代わりに利用した場合にも、人手は天板に触れ、張り地にはほとんど触れないため、張り地に汚れが付着することを防止できる。しかも、天板によって背凭れ部の上端に適度な剛性と硬度が付与されるため、柔軟な張り地が剥き出しの場合に比べて、背凭れ部の上端を安定性の高い手摺りや取っ手として利用することができる。
【０００９】
前記天板は、前記背凭れ部に対して着脱可能に取り付けられると、天板に汚れや傷が目立つようになった場合に簡単に交換することができ、背凭れ部全体の交換や張り地の張り直しに比べて、コストを大幅に抑えることができる。
【００１０】
前記天板の上面に平面を有すると、ある程度の大きさを持った座席番号等の表示用のプレートを容易に取り付けることが可能となり、該プレートの設置位置と大きさの自由度を向上させることができる。
【００１１】
当該椅子は、左右方向に複数並設されると共に、左右に隣接する椅子同士にそれぞれ取り付けられた各天板の対向する側端部同士が、互いに近接するとよい。そうすると、左右に並んだ椅子の天板をその並び方向に略一列に連続させることができ、劇場や映画館等のように前後列の間隔が狭い椅子同士の間であっても、各椅子にわって連続する天板を長尺な手摺りとして利用して、利用者が円滑に移動することができる。
【００１２】
前記天板の前端は、前記背凭れ部への着席荷重によって前記前面が後方に撓んだ場合に、当該椅子の前後方向で前記撓んだ前面と同位置又は後方位置にあると、背凭れ部への着席荷重によって前面が後方に撓んだ場合であっても、着席者の背中に天板の前端が当たって違和感を生じることを防止できる。
【００１３】
当該椅子は、前記背凭れ部の側面が張り地によって覆われると共に、該側面を覆う張り地の上に側板を取り付けると、背凭れ部の側部に対する汚れの付着も防止することができる。
【発明の効果】
【００１４】
本発明によれば、背凭れ部の上面を覆う張り地の上に天板を取り付けたことにより、例えば使用者が背凭れ部の上面を手摺り代わりに利用した場合にも、人手は天板に触れ、張り地にはほとんど触れないため、張り地に汚れが付着することを防止できる。しかも、天板によって背凭れ部の上端に適度な剛性と硬度が付与されるため、柔軟な張り地が剥き出しの場合に比べて、背凭れ部の上端を安定性の高い手摺りとして利用することができる。
【図面の簡単な説明】
【００１５】
【図１】図１は、本発明の一実施形態に係る椅子の一部分解斜視図である。
【図２】図２は、天板の取付構造の一例を示す椅子の一部断面背面図である。
【図３】図３は、図２中のＩＩＩ−ＩＩＩ線に沿う断面図である。
【図４】図４は、天板を取り付けた状態での椅子の一部省略平面図である。
【図５】図５は、図１に示す椅子の変形例に係る椅子の一部分解斜視図である。
【発明を実施するための形態】
【００１６】
以下、本発明に係る椅子について好適な実施の形態を挙げ、添付の図面を参照しながら詳細に説明する。
【００１７】
図１は、本発明の一実施形態に係る椅子１０の一部分解斜視図であり、劇場や映画館、スタジアム等において多数配列された椅子１０のうち、所定の左席１０Ｌ及び右席１０Ｒを図示したものである。
【００１８】
図１に示すように、椅子１０（左席１０Ｌ及び右席１０Ｒ）は、使用者が座るための座部１４と、座部１４への着席者が背中で寄り掛かる部分である背凭れ部（背部）１６と、着席者が肘を掛けるための肘掛部２０とを備え、例えば、２脚の椅子１０である左席１０Ｌ及び右席１０Ｒが脚部２２によって床面上に一体的に固定される。本実施形態では、座部１４をその基端（後端）側を回動軸として跳ね上げ可能な構成を例示しているが、座部１４は固定式のものでもよい。
【００１９】
肘掛部２０は、椅子１０の各外側部に設置されると共に、隣接する椅子１０（左席１０Ｌ及び右席１０Ｒ）同士の中間部に両席共用となる１個が設置される。略同様に、脚部２２は、椅子１０の各外側部にそれぞれ１本ずつ設置されると共に、隣接する椅子１０の中間部に両席共用となる１本が設置される。
【００２０】
背凭れ部１６は、背板１７の周囲に設けたクッション材１９を張り地２４で覆って構成され（図３参照）、少なくとも着席者の背中が当接する前面１６ａから背凭れ部１６の上端となる上面１６ｂまでは張り地２４が設けられ、これにより、快適な座り心地や所望の吸音性能等を実現している。本実施形態の場合、張り地２４は、背板１７の背面には張られておらず、これにより背板１７の木質感を外部から視認できるようになっているが（図２及び図３参照）、背凭れ部１６の全面に張られても勿論よい。背凭れ部１６は、背板１７を用いた構成以外であってもよく、合板やパイプ、木枠等で形成されるフレームの周囲に、クッション材１９等を収納した張り地２４を設けた構成等にしてもよい。また、張り地２４は、クッション材１９を収納せず、布地等を背板１７やフレーム上に直接的に設けたものであってもよい。以下、張り地２４について、前面１６ａを覆う部分を張り地２４ａともいい、上面１６ｂを覆う部分を張り地２４ｂともいう。また、張り地２４は、側面や背面を含む背凭れ部１６の全ての面に張られていてもよいが、例えば、背面には背板を露出させておいてもよい。
【００２１】
このように張り地２４が設けられた背凭れ部１６の上面１６ｂ（上端）には、張り地２４ｂの上に、その略全面を覆う天板（笠木、板材）２６が取り付けられている（図１及び図４参照）。
【００２２】
図１〜図４に示すように、天板２６は、背凭れ部１６の上面の外形を多少縮小した外形を持ち、その上面の全面又は一部に平面が形成された板状部材であって、例えば木材や樹脂性材料等によって形成される。天板２６の板厚は、その材質等にもよるが、着席者等が手をついて体重を掛けた場合にも、大きな撓み等は生じない十分な剛性を持つことができる程度の寸法に設定されることが望ましい。
【００２３】
図２に示すように、天板２６は、その底面両側部近傍から下方に向けて突出する一対の位置決めピン２８、３０と、略中央に形成されて中央に貫通孔３２及び座繰り部３４が形成された凹部３６とを有する。一方、背凭れ部１６の背板１７（又は図示しないフレーム）には、位置決めピン２８、３０をそれぞれ嵌合可能な一対の位置決め穴３８、４０と、貫通孔３２を通した固定ねじ４２を締結可能なねじ穴４４とが設けられる。
【００２４】
従って、天板２６は、位置決めピン２８、３０が位置決め穴３８、４０に嵌合され、固定ねじ４２がねじ穴４４に締結されることにより、背凭れ部１６の上面１６ｂに対して位置決め固定される。この際、固定ねじ４２は、その頂部が座繰り部３４に埋没するため、凹部３６側に突出することはない。
【００２５】
天板２６の上面に開口する凹部３６には、当該椅子１０の座席番号や使用者名等を印刷や刻設によって設けたプレート４６が配設固定される。プレート４６が凹部３６内に配設されることにより、固定ねじ４２や座繰り部３４が外部に露出せず、椅子１０の美観が損なわれることもない。
【００２６】
図４に示すように、平面視での天板２６の外形は、背凭れ部１６の上面１６ｂの略全面、すなわち上面１６ｂの両側部にわたる大部分を覆うように、多少湾曲した弓形状となっている。平面視で天板２６の表面積は、例えば上面１６ｂの表面積の７０％以上に設定される。
【００２７】
天板２６の外縁部のうち、前端２６ａは、上面１６ｂの前面１６ａ側縁部の円弧形状から多少窪んだ円弧を描き、後端２６ｂは、上面１６ｂの背面側縁部の円弧形状に沿った円弧を描いて構成される。
【００２８】
この場合、天板２６の前端２６ａと、上面１６ｂの前面１６ａ側縁部との間が最大に離間した部分（例えば、中央部）での距離Ｌ１は、例えば１０ｍｍ〜１５ｍｍに設定され、両側部に向かって次第に小さくなる。この距離Ｌ１は、背凭れ部１６への着席荷重によって前面１６ａが後方に撓んだ（沈んだ）場合（図４中の２点鎖線で示す前面１６ａ参照）の想定撓み距離Ｌ０と同一又は多少大きく設定されている。一方、後端２６ｂと、上面１６ｂの背面側縁部との間の距離Ｌ２は、例えば５ｍｍ程度で均等になっている。
【００２９】
図４に示すように、左右に隣接する椅子１０同士、つまり左席１０Ｌと右席１０Ｒとは、その背凭れ部１６の側面同士が密着配置されると共に、各天板２６、２６の対向する側端部同士は間隔Ｗ１を介して近接配置される。この間隔Ｗ１は、例えば５〜１５ｍｍ程度に設定され、例えば肘掛部２０の幅Ｗ２よりも小さく設定される。
【００３０】
以上のように、本実施形態に係る椅子１０によれば、少なくとも背凭れ部１６の前面１６ａ及び上面１６ｂが張り地２４（２４ａ、２４ｂ）によって覆われた構成において、背凭れ部１６の上面１６ｂを覆う張り地２４ｂの上に天板２６を取り付けている。このため、例えば使用者が背凭れ部１６の上面１６ｂを手摺りや取っ手代わりに利用した場合にも、人手は天板２６に触れ、張り地２４にはほとんど触れないため、張り地２４（２４ｂ）に汚れが付着することを防止できる。しかも、天板２６によって背凭れ部１６の上端（上面１６ｂ）に適度な剛性と硬度が付与されるため、柔軟な張り地２４ｂが剥き出しの場合に比べて、背凭れ部１６の上端を安定性の高い手摺りとして利用することができる。
【００３１】
天板２６は、プレート４６及び固定ねじ４２を取り外すだけで背凭れ部１６に対して容易に着脱することができる。このため、天板２６に汚れや傷が目立つようになった場合には、それを簡単に交換することができ、背凭れ部１６全体の交換や張り地２４の張り直しに比べて、コストを大幅に抑えることができる。
【００３２】
天板２６の上面の全体又は一部に平面を設けることにより、ある程度の大きさを持ったプレート４６を容易に取り付けることができるため、プレート４６に記載された座席番号等をより大きな文字にすることができる。換言すれば、プレート４６の設置位置と大きさの自由度を向上させることができる。
【００３３】
椅子１０は、左右方向に複数並設されると共に（例えば、左席１０Ｌ及び右席１０Ｒ）、左右に隣接する椅子１０同士にそれぞれ取り付けられた各天板２６の対向する側端部同士が、短い間隔Ｗ１を介して互いに近接している（図４参照）。このため、左右に並んだ椅子１０の天板２６をその並び方向に略一列に連続させることができ、劇場や映画館等のように前後列の間隔が狭い椅子１０同士の間であっても、各椅子１０にわって連続する天板２６を長尺な手摺りとして利用して、利用者が円滑に移動することができる。
【００３４】
天板２６の前端２６ａは、背凭れ部１６への着席荷重によって前面１６ａが後方に撓んだ場合に、当該椅子１０の前後方向で該前面１６ａと同位置又は後方位置にあるとよい（図４参照）。そうすると、着席者の背中に前端２６ａが当たって違和感を生じることを防止できる。
【００３５】
ところで、椅子１０の設置場所等によっては、例えば観客が劇場内の階段を上り下りする際に、背凭れ部１６の上面１６ｂだけでなく、その側面を取っ手代わりに握って利用する場合があり、この側面１６ｃを覆う張り地２４に汚れが付着する可能性もある。
【００３６】
そこで、図５に、図１に示す椅子１０の変形例に係る椅子１００の一部分解斜視図を示す。図５に示すように、この椅子１００（左席１００Ｌ、右席１００Ｒ）は、背凭れ部１６の上面１６ｂに天板２６が取り付けられると共に、さらに、背凭れ部１６の側面１６ｃを覆う張り地２４（２４ｃ）の上にも天板２６と略同様な側板（板材）１０２が取り付けられる点が、図１に示す椅子１０と相違している。
【００３７】
側板１０２の取付構造は、上記した天板２６と略同様でよく、例えば、椅子１００の背凭れ部１６の側面１６ｃに形成された位置決め穴１０４、１０６に対して、側板１０２の位置決めピン１０８、１１０を嵌合し、さらに図示しない固定ねじ等を用いて背凭れ部１６に着脱可能に固定するとよい。この際、天板２６の外側端部を延長させ、側板１０２の上端が天板２６の外側端部に対して面一で連続するように設置すると、背凭れ部１６の上部角部を天板２６と側板１０２とで確実に保護することができる。なお、側板１０２は、図５に示すように、椅子１００が２脚（又は３脚以上）並列されている場合には、外側の椅子１００の外側の側面１６ｃにのみ取り付ければよく、１脚のみの場合には、その１脚の椅子１００の両側面１６ｃにそれぞれ取り付ければよい。
【００３８】
このような椅子１００では、背凭れ部１６の上面１６ｂの張り地２４（２４ｂ）だけでなく、側面１６ｃの張り地２４（２４ｃ）に汚れが付着することも防止することができる。また、側板１０２によって背凭れ部１６の側部（側面１６ｃ）に適度な剛性と硬度が付与されるため、柔軟な張り地２４ｃが剥き出しの場合に比べて、背凭れ部１６の側部を安定性の高い手摺りや取っ手として利用することができる。さらに、天板２６と同様に、側板１０２の表面の全体又は一部に平面を設けることにより、プレート４６と同様なプレート（図示せず）を容易に取り付けることができるため、該プレートに椅子の列番号等を明示することができる。
【００３９】
なお、本発明は、上記した実施形態に限定されるものではなく、本発明の主旨を逸脱しない範囲で自由に変更できることは勿論である。
【００４０】
例えば、上記実施形態では、椅子１０、１００が複数配列される構成を例示したが、本発明は、椅子１０、１００がオフィスチェア等のように１脚のみで使用される場合にも有効に用いることができる。
【００４１】
また、上記実施形態では、背凭れ部１６の上面に天板２６を設けた椅子１０と、背凭れ部１６の上面及び側部に天板２６及び側板１０２を設けた椅子１００とを例示したが、例えば、椅子１００について、天板２６を設けず、側板１０２のみを設けて構成してもよく、椅子の背凭れのいずれの位置に天板や側板を取り付けるかは、当該椅子の設置される劇場等の仕様等によって適宜変更すればよい。
【符号の説明】
【００４２】
１０、１００  椅子
１４  座部
１６  背凭れ部
１６ａ  前面
１６ｂ  上面
１６ｃ  側面
２４、２４ａ、２４ｂ、２４ｃ  張り地
２６  天板
２６ａ  前端
２６ｂ  後端
１０２  側板
【図１】
0005957219.tif 000002
【図２】
0005957219.tif 000003
【図３】
0005957219.tif 000004
【図４】
0005957219.tif 000005
【図５】
0005957219.tif 000006